(57)【要約】    【課題】  余剰入賞に対して賞球数をアップさせることにより、遊技者に対する入賞への遊技意欲を高めることができるとともに、遊技機を管理するホール側の出球管理を容易にできる遊技機を提供する。    【解決手段】  入賞した遊技球に対して第１の所定賞球数を払い出す賞球払出手段２０、２２と、予め定められた上限数の遊技球が入賞するまで開放状態を維持する可変入賞手段Ｍと、可変入賞手段Ｍに上限数を超えて遊技球が入賞したことを検知する余剰入賞検知手段４５と、検知した余剰入賞に対して第１の所定賞球数よりも多い第２の所定賞球数を払い出すように賞球払出手段２０、２２を制御する払出数制御手段と、を備えるように遊技機１０を構成した。【選択図】      図１０
2005185345.tif 000002
【特許請求の範囲】
【請求項１】
入賞した遊技球に対して第１の所定賞球数を払い出す賞球払出手段と、
所定の条件が成立したことを契機として、予め定められた上限数の遊技球が入賞するまで開放状態を維持し、前記上限数の入賞を検知すると閉状態に変化する可変入賞手段と、
この可変入賞手段に前記上限数を超えて遊技球が入賞したことを検知する余剰入賞検知手段と、
この余剰入賞検知手段により検知した余剰入賞に対して、前記第１の所定賞球数よりも多い第２の所定賞球数を払い出すように制御する払出数制御手段と、
を備えることを特徴とする遊技機。
【請求項２】
入賞した遊技球に対して第１の所定賞球数を払い出す賞球払出手段と、
遊技球が始動口へ入賞したことを契機として複数の識別情報を可変表示可能な表示手段と、
この表示手段に表示される前記複数の識別情報の表示態様が特定の表示態様となった場合に、予め定められた上限数の遊技球が入賞するまで開放状態を維持し、前記上限数の入賞を検知すると閉状態に変化する可変入賞手段と、
この可変入賞手段に前記上限数を超えて遊技球が入賞したことを検知する余剰入賞検知手段と、
この余剰入賞検知手段により検知した余剰入賞に対して、前記第１の所定賞球数よりも多い第２の所定賞球数を払い出すように制御する払出数制御手段と、
を備えることを特徴とする遊技機。
【発明の詳細な説明】
【技術分野】
【０００１】
この発明は遊技機に関し、特に所謂パチンコ遊技機などの弾球遊技機に関する。
【背景技術】
【０００２】
従来、遊技機の一種として弾球遊技機があり、その最もポピュラーなものとしてパチンコ遊技機が知られている。
【０００３】
パチンコ遊技機では、遊技盤上に発射された遊技球がその入賞口に入球すると、所定数の入賞球が遊技者に払い出される。
【０００４】
前記入賞口には、左右に開閉動作する一対の可動片を備えた「チューリップ」などと呼ばれる特別入賞口を備えたものや、特定の始動口への入球を契機として遊技機の液晶パネルなどの表示手段に表示される「可変表示ゲーム」に連動して動作する大入賞口を備えたものなどがある。
【０００５】
特別入賞口を備えた可変入賞手段では、例えばその閉状態のときに入賞するなどの所定の条件が成立したことを契機として可動片が開状態となって、遊技球をガイドして入賞しやすくなるようにしている。そして、予め定められた上限値数（「チューリップ」の場合は通常１個）の遊技球が入賞するまで若しくは所定時間だけ開状態を維持した後、閉状態に変化する。
【０００６】
「可変表示ゲーム」などに連動される大入賞口を備えた可変入賞手段では、遊技機の１種であるスロットマシンのように図柄からなる識別情報を遊技盤状に表示させるもので、発射した遊技球が始動口へ入賞するとその入賞に基づき当選かハズレかを抽選し、抽選結果に応じて表示手段上で前記識別情報を変動表示及び停止表示させる。そして、抽選結果が当選となって識別情報が予め定められた特定組合せで停止表示された場合には、大入賞口の開閉動作を所定回数（例えば１５回であり、大入賞口の開状態から閉状態に至るまでの一回の遊技を「１ラウンド」とも呼ぶ。）繰り返して、遊技者に有利な状態である所謂「特別遊技状態」を発生させるようにしている。
【０００７】
この大入賞口は一旦開状態になると、前記「チューリップ」の可動片同様、予め定められた上限値数の遊技球が入賞するまで（例えば１０個）若しくは所定時間（例えば２９秒）だけ開状態を維持し、前記上限値数の入賞をセンサで検知するか若しくは所定時間経過すると閉状態に変化するようになっている。また、大入賞口内は特定領域と一般領域とに区画されており、特定領域内に入賞すると大入賞口が閉鎖された後、再度開放されることが約束される。
【０００８】
このような大入賞口や特別入賞口などの可変入賞手段を備えているパチンコ遊技機では、前記上限値数の入賞を超えて入賞する場合がある（この上限値数を超えて遊技球が入賞することを余剰入賞と呼ぶ）。
【０００９】
特に前記大入賞口は遊技盤の最下方位置に設けられることが多く、その開放時間も長いために、遊技球の集まりが良い遊技機であればセンサが上限値数を検知するまでの間に一挙に余剰入賞することがある。
【００１０】
当然ながら入賞球１個当りに対して所定数の賞球を獲得できることから、遊技者にとってはかかる余剰入賞の発生は好ましいものであり、遊技者は余剰入賞を狙って上限値数に達する直前に大入賞口へ遊技球を集めるように努めることになる。
【００１１】
しかし、余剰入賞数については表示されることがない上に、かかる余剰入賞に対する賞球の払い出しは、上限値数までの入賞に対する払い出しに連続して行われるために、余剰入賞が発生したことを目視で確認してもそれが正確かどうかを判断できず、発生した余剰入賞に対してなされた賞球の払い出しを実感することも困難であった。
【００１２】
そこで、このような余剰入賞の報知方法などに関連して、例えば以下のような技術のものが提案されている。
【００１３】
特許文献１には、 特定の入賞領域への入賞球数をカウントして特別遊技の遊技態様を変化させる弾球遊技機が記載されている。これは、可変入賞手段への入賞を検出手段によりカウントした結果が所定数を超えると、前記「特別遊技状態」のラウンド数を追加するようにしたものである。
【００１４】
特許文献２には、ラウンド毎に入賞装置の開制御を行う遊技機において、規定数を超えた入賞数を余剰球数として、次のラウンドにこの余剰球数分を補充して大役動作を継続させるようにした遊技機が記載されている。
【特許文献１】特開２００１−１３７４５５号公報
【特許文献２】特開２００３−１５４０９４号公報
【発明の開示】
【発明が解決しようとする課題】
【００１５】
ところが、特許文献１に記載の遊技機では、ラウンド数追加などの遊技態様の変化によって遊技者は余剰入賞の発生を知ることはできるが、大当たり遊技中に大入賞口へ入球して賞球となる特賞中出球が大当たりのラウンド毎に異なるためホール側にとってみれば出球のバラツキを生じ易く出球管理がしにくくなるなどの課題があった。
【００１６】
特許文献２に記載の遊技機では、トータル的な余剰球数に対して賞球が払い出されず、すなわち、余剰球数の発生に伴う利益が賞球数の払出しという形で遊技者に提供されることがないため、遊技者の技量を賞球の増加という結果に直接的に反映されにくいという課題があった。
【００１７】
本発明は、上記従来の課題を解決するためになされたもので、余剰入賞に対して賞球数をアップさせるとともに、技術介入性を付加してこの余剰入賞に伴う賞球数の変化を強調して遊技者に対する入賞への遊技意欲を高めることができ、簡単な構成で出球管理なども容易にできる遊技機を提供することを目的とする。
【課題を解決するための手段】
【００１８】
（１）本発明の遊技機は、入賞した遊技球に対して第１の所定賞球数を払い出す賞球払出手段と、所定の条件が成立したことを契機として、予め定められた上限数の遊技球が入賞するまで開放状態を維持し、前記上限数の入賞を検知すると閉状態に変化する可変入賞手段と、この可変入賞手段に前記上限数を超えて遊技球が入賞したことを検知する余剰入賞検知手段と、この余剰入賞検知手段により検知した余剰入賞に対して、前記第１の所定賞球数よりも多い第２の所定賞球数を払い出すように制御する払出数制御手段と、を備えるように構成した。
（２）本発明の遊技機は、入賞した遊技球に対して第１の所定賞球数を払い出す賞球払出手段と、遊技球が始動口へ入賞したことを契機として複数の識別情報を可変表示可能な表示手段と、この表示手段に表示される前記複数の識別情報の表示態様が特定の表示態様となった場合に、予め定められた上限数の遊技球が入賞するまで開放状態を維持し、前記上限数の入賞を検知すると閉状態に変化する可変入賞手段と、この可変入賞手段に前記上限数を超えて遊技球が入賞したことを検知する余剰入賞検知手段と、この余剰入賞検知手段により検知した余剰入賞に対して、前記第１の所定賞球数よりも多い第２の所定賞球数を払い出すように制御する払出数制御手段と、を備えるように構成されている。
【発明の効果】
【００１９】
本発明によれば、可変入賞手段に遊技球が余剰入賞されるのを契機として賞球払出手段から払い出される賞球数を増加させる払出数制御手段を備えるので、余剰入賞された遊技球やそのラウンド中に入球した遊技球の各１個に対して払い出される払出賞球数をアップさせて遊技者に対する入賞への遊技意欲を高めることができる。
【００２０】
また、余剰入賞を契機として払出賞球数を第１の賞球数からこれより多い第２の賞球数に切り換えるだけなので、その制御操作が単純であり遊技機を管理するホール側の出球管理を容易にできる。
【００２１】
さらに、本発明の遊技機では、複数の識別情報を可変表示可能な表示手段に連動して動作する可変入賞手段を設けることができ、余剰入賞を表示手段に表示される可変表示ゲームに連携させて、その遊技性をさらに高めることができる。
【発明を実施するための最良の形態】
【００２２】
本発明の実施の形態に係る遊技機は、特にパチンコ遊技機として好適に実施することができる。このパチンコ遊技機は、その始動口などに入賞した遊技球に対して第１の所定賞球数を払い出す賞球払出手段と、所定の条件が成立したことを契機として上限数の遊技球が入賞するまで開放状態を維持する可変入賞手段と、この可変入賞手段に前記上限数を超えて遊技球が入賞したことを検知する余剰入賞検知手段と、この余剰入賞に対して前記第１の所定賞球数よりも多い第２の所定賞球数を払い出すように前記賞球払出手段を制御する払出数制御手段とを備えるように構成されている。
【００２３】
さらにパチンコ遊技機は、遊技球の始動口への入賞を契機として複数の識別情報を可変表示させる表示手段を備え、前記表示手段に表示される識別情報が特定の表示態様で停止する場合に連動して前記可変入賞手段の可動片などがその閉状態から開放状態に移行されるようになっている。
【００２４】
これによって、余剰入賞を、表示手段に表示される可変表示ゲームに連携させてその遊技性を高めるとともに、余剰入賞に対する賞球数をアップさせ、遊技者の入賞への遊技意欲を高めることができる。
【００２５】
賞球払出手段は、始動口や大入賞口などに入球した遊技球に対して１球当り所定数Ｍの遊技球を賞球として払い出すための払出装置である。これによって、例えば合計Ｋ個の遊技球が入賞すると遊技機の下方に設けられたいわゆる上皿又は下皿と呼ばれるトレイ状の部分に合計Ｋ×Ｍ個の遊技球が賞球として払い出されるようになっている。
【００２６】
可変入賞手段は、遊技盤上に設けられた特別入賞口や大入賞口などを有して構成される。可変入賞手段においては、遊技盤上に発射された遊技球が特別入賞口に入賞するか、他の特別入賞口である始動口に入賞したことを受けて行われる内部抽選の結果が当選となるなどの所定条件が成立すると、これ以降に予め定められた上限値数の遊技球が入賞するまで開放状態を維持し、前記上限値数の入賞を検知すると閉状態に変化するようになっている。なお、可変入賞手段としては、「チューリップ」などの形態のものであってもよいが、近年のパチンコ遊技機の主流である「可変表示ゲーム」を実行する遊技形態に用いられる大入賞口とすることが好ましい。すなわち、遊技球の始動口への入賞を契機として複数の識別情報を表示手段に可変表示させるとともに、この識別情報の表示態様が特定の表示態様となった場合に、可変入賞手段の可動片などを作動させて大当たりなどの特別遊技態様に切り換えるように構成されている。
【００２７】
余剰入賞検知手段は、可変入賞手段の遊技球の流路に設けられ、ここを通過する遊技球の動きを磁気的または機械的に検知する球検知センサや球通過検出器及び、前記球検知センサなどから遊技球の通過信号を取得して規定期間内の通過球数をカウントする計数部を備えている。これによって、前記通過球数が予め定められた上限数を超えたときを判定して、余剰入賞に対応する余剰入賞信号を遊技機を制御する制御部に送信する機能を有している。
【００２８】
払出数制御手段は、余剰入賞検知手段からの余剰入賞信号を取得すると、第１の所定賞球数Ｍよりも多い第２の所定賞球数Ｍを設定して、規定期間内に可変入賞手段に入球した遊技球に対する賞球を賞球払出手段を介して払い出す機能を有した装置である。このような払出数制御機能は、制御部に記憶された遊技プログラムの払出数制御ルーチンによって実現することができる。
【００２９】
表示手段は、可変表示ゲームなどを表示させる液晶表示部が含まれ、遊技機の制御部を介してこの液晶表示部に識別情報が表示される。すなわち、制御部に記憶された可変表示ゲーム処理ルーチンによって表示手段が制御される。この可変表示ゲーム処理ルーチンは、後述するように、遊技球の始動口への入賞を契機として複数の識別情報を表示手段に可変表示させるようになっている。
【００３０】
（遊技機の遊技態様）
本実施の形態に係る遊技機における遊技態様についてその概略を簡単に説明する。
【００３１】
遊技者は遊技ハンドルを操作して遊技球を発射させる。この遊技盤上に発射された遊技球が始動口と呼ばれる特定入賞口に入球すると、前記「可変表示ゲーム」が実行され、複数の識別情報が液晶表示装置などからなる前記表示手段上で可変表示される。これが停止表示されたときの識別情報が所定の組合せとなった場合、大当たり遊技状態となり、特別遊技実行手段によって、可変入賞手段となる大入賞口の開閉が例えば１５ラウンドを限度として開始される。
【００３２】
大入賞口内は、特定領域と一般領域とに区画されており、特定領域内に入賞すると、大入賞口が閉鎖された後再度開放することが約束されている。そこで、遊技者は、先ず特定領域内に遊技球を入賞させて次回ラウンドを確保しながら、上限入賞数を超える余剰入賞の発生を期待して開放された大入賞口内に遊技球を集めるように努める。
【００３３】
余剰入賞が発生すると、例えば液晶表示装置、あるいは特別に設けた表示装置などに余剰入賞数が表示される。遊技者は、この表示数によって、通常の特別遊技状態中よりも賞球が増加することを知り、満足感とともに勝利感を得ることができる。
【００３４】
こうしてラウンドが次々と消化され、各ラウンド中には通常の入賞球数に見合った賞球が連続的に払い出される。なお、必要に応じて、最終のラウンドが終了したときに表示装置などにこれまでの余剰入賞数が累計表示されるようにしたり、通常入賞に対する賞球払い出しが終了すると前記累計表示された数に見合った賞球が一括して払い出されたりするようにしてもよい。これはラウンド毎に分散して払い出しを行うよりも、全ラウンドの余剰入賞累計数を一括して払い出す方がインパクトが強くなるので、遊技者は余剰入賞によって得られる正当な対価をより実感できるからである。
【００３５】
ここで、賞球の一括払い出しは賞球払出手段を介して実行され、入賞１球あたりの賞球数が例えば１０個と定められている場合は、そのラウンドにおける入球数の１０倍となる賞球が連続的に払い出される形態をとっている。したがって、一旦通常の大当たり遊技状態が終了して所定の賞球払い出しが終わった後に、賞球が一括して払い出されるので、遊技者は大当たりなどの特別遊技状態中での余剰入賞の発生を直接的に実感することができ、喜びも高まるとともに自身の遊技技量に対する満足感を充足させることができる。
【００３６】
前記識別情報としては、数字を含む文字、記号、絵柄又は模様等の図柄からなり、これらが複数設けられた複数の識別情報群が表示手段上に変動表示及び停止表示される。そして、かかる識別情報群を変動表示及び停止表示する前記表示手段は、前記液晶表示装置の他、ＣＲＴからなるディスプレイとしてもよい。さらに、本実施の形態における表示手段としては、その他の７セグメント表示器やランプ類、或いはスピーカなどの音声出力装置なども含まれる。かかる表示手段は、遊技機内に配設した制御部により制御される。
【００３７】
遊技機を制御する制御部には、前記表示手段を制御する他、上述したパチンコ遊技を進めていくためのパチンコ遊技プログラムが格納されている。
【００３８】
このパチンコ遊技プログラムは例えば、遊技球が各入賞口などに入球したのを検知するための遊技球検出ルーチンを基本ルーチンとして備えている。そして、この遊技球検出ルーチンは（１）この遊技球検出ルーチンから呼び出される払出数制御ルーチンをサブプログラムとして含む遊技球払出処理ルーチン及び、（２）遊技球払出処理ルーチンに続いて実行され遊技球が始動口に入球するのを受けて所定の抽選確率で抽選処理を行う内部抽選実行処理ルーチンと、（３）この内部抽選実行処理ルーチンの抽選結果に基づいて可変表示ゲームを実行する可変表示ゲーム処理ルーチンなどのプログラム群を有して構成されている。
【００３９】
なお、上述してきた遊技機は、必ずしも実際の鋼球からなる遊技球を用いる必要はなく、パチンコ遊技盤を遊技画面として画像表示するディスプレイ上に仮想遊技球を映像として打出し可能な遊技ハンドル（操作部）と、パチンコ遊技プログラムを実行する制御部とを備えた映像パチンコ遊技機であっても構わない。さらに、表示手段としての表示部と制御部とを備えた業務用若しくは家庭用のゲーム機に適用することも可能である。
【００４０】
さらには、汎用コンピュータや携帯端末装置等に、上記パチンコ遊技プログラムをはじめ、各種の制御を行うソフトウェアをインストールしたものにも適用できる。この場合、上述してきた遊技盤を含む遊技機画像の表示を実行させることのできる表示プログラムを含む前記パチンコ遊技プログラムを格納した記憶媒体を介して遊技を行うことができる。或いは、インターネットなどを介して前記パチンコ遊技プログラムをダウンロードして遊技することができる。つまり、遊技機としては、サーバと端末機（クライアント）とに分割して構成したものであってもよいし、端末機と通信可能であり、パチンコ遊技機を示す遊技機画像を各端末機に表示可能としたサーバであってもよい。
【００４１】
（パチンコ遊技機の構成）
以下、本発明の実施の形態の遊技機を図面に基づいてより具体的に説明する。なお、以下に説明する遊技機は実際の鋼球からなる遊技球を用いるパチンコ遊技機としている。
【００４２】
図１は本実施の形態に係るパチンコ遊技機の正面図であり、図２は同パチンコ遊技機の遊技盤面の拡大正面図であり、図３は同パチンコ遊技機の可変入賞手段を示す分解説明図であり、図４は同パチンコ遊技機を制御する制御回路を示すブロック図である。
【００４３】
図１に示すようにパチンコ遊技機１０には矩形枠状の本体枠１２に矩形板状の遊技盤１４が組込まれ、同遊技盤１４の前面に本体枠１２の窓枠１６が設けられ、さらに同窓枠１６の下側であって本体枠１２の前面には賞球払出手段を構成する上皿２０及び下皿２２を設けるとともに、同下皿２２の右側に発射ハンドル２６を配設している。
【００４４】
また、遊技盤１４の前面には複数の障害釘（図１では入賞口の直上方に設けたものを除いて省略している）を打ち込んでいる。なお、釘を打ち込むような構成とせず、遊技盤１４を樹脂素材で成形し、この樹脂素材の遊技盤１４に棒状体を遊技盤１４の前方向に突出するように一体的に突設する構成としてもよく、かかる構成とした遊技装置（所謂「パチコン機」）にも本発明を適用することができる。
【００４５】
図１中、２０ａは前記上皿２０内の遊技球を下皿２２へ送るバイパス路開閉ボタン、４６はスピーカ、２８は前記発射ハンドル２６の裏側に設けたソレノイド、２６ａは前記ソレノイド２８の一時停止ボタン、２９は前記発射ハンドル２６の周縁部に設けたタッチセンサである。なお、前記ソレノイド２８に代えて発射モータを用いてもよい。
【００４６】
上記構成により、遊技球はガイドレール３０に案内されて遊技盤１４上に発射され、複数の障害釘との衝突によりその進行方向を変えながら遊技盤１４の下方に向かって落下し、こうして各種入賞口に入らなかった遊技球は、遊技盤１４の中央最下部に位置する排出口５３から回収される。
【００４７】
図２の拡大図に示すように遊技盤１４の前面の略中央には、表示手段として液晶パネルからなる表示装置３２が設けられており、この表示装置３２上に、それぞれ図柄からなる１０種類の識別情報を有する識別情報群を横３列に表示可能とするとともに、その他様々な演出画像を静止画や動画で表示可能としている。なお、前記識別情報の図柄種類は１０種類に限定されるものではなく、複数種であればよい。そして、この識別情報を変動表示する前記表示装置３２は、遊技者が見得るような位置であればパチンコ遊技機１０の何処の位置に設けても構わない。なお、図２においても図１同様に障害釘の大部分を省略している。
【００４８】
５２は小型の副表示装置であり、識別情報の一つである数字や記号等からなる普通図柄を、変動と停止とを繰り返すように可変表示することができる。
【００４９】
表示装置３２の下部には、後述する可変表示ゲームが開始される契機となる特定の入球口としての始動口４４を設けている。５８ａ,５８ｂはこの始動口４４に付設した「チューリップ」と呼ばれる開閉動作可能な可動片であり、開時には遊技球を前記始動口４４へガイド可能としている。
【００５０】
表示装置３２の左右側部には、球通過検出器５５ａ,５５ｂとバイパス通路入口５１ａ,５１ｂとを設けている。そして、前記球通過検出器５５ａ,５５ｂが遊技球の通過を検出したときに前記普通図柄が変動し、所定の図柄で停止表示されると、ソレノイド５７（図３参照）により前記可動片５８ａ,５８ｂを駆動し、前記始動口４４に遊技球が入りやすくなるようにしている。他方、前記バイパス通路口５１ａ,５１ｂに遊技球が入ると、バイパス通路５１'，５１'を通過して前記始動口４４の直上方まで遊技球を案内し、始動口４４に遊技球が入りやすくなるようにしている。
【００５１】
副表示装置５２の左右両側には、可変表示ゲーム実行中や大当たり遊技状態中に始動口４４に入球し可変表示ゲームの実行が保留された保留球数を表示するための４つの保留ランプ３４（３４ａ〜３４ｄ）を設けている。これによって、遊技者はその遊技時点で始動口４４への入球に基づく可変表示ゲームの保留状態を確認しながらゲームを行うことができる。前記表示装置３２の左右両側には、遊技球の経路を所定の方向に誘導するための風車状の転動誘導部材６０ａ,６０ｂを設けるとともに、遊技盤１４の外側の上左側と上右側とには、装飾ランプ３６（３６ａ，３６ｂ）を設けている。
【００５２】
さらに、遊技盤１４の下部には、可変入賞手段の一例である大当たり入賞装置Ｍを設けるとともに、遊技盤１４の全域にわたって、複数の一般入賞口５０，５４ａ,５４ｂ及び第２の一般入賞口５６ａ,５６ｂ,５６ｃ,５６ｄを設けている。
【００５３】
ここで、可変入賞手段の一例である大当たり入賞装置Ｍについて説明する。
【００５４】
大当たり入賞装置Ｍは、後述する制御部６１により制御されている。この大当たり入賞装置Ｍには、図３に示すように大入賞口３８が形成された前カバー２００と、後カバー２０１との間に装置各部材が介設されており、後述する可変表示ゲームによって大当たり遊技状態になった場合に、ソレノイド４８の駆動により前後に揺動して大入賞口３８を閉鎖状態及び開放状態にするシャッタ４０と、同シャッタ４０の後方に配され、ソレノイド２０５により駆動されて左右に傾動するスイング板２０６とを備えている。
【００５５】
そして、シャッタ４０の開放時に、スイング板２０６を介して遊技球が特定領域である特定入球口２０４に入球すると、シャッタ４０は所定時間経過或いは所定数入球後においても次のシャッタ４０の開放が約束され、これが繰り返されることで遊技者にとって有利な大当たり遊技状態を実現するようにしている。
【００５６】
シャッタ４０が開放され、予め定められた所定時間（本実施の形態では２９秒とする）経過するか、或いは遊技球が前記大入賞口３８に上限値数（本実施の形態では１０個とする）入賞して閉鎖するまでの１サイクルを大当たり遊技状態の１ラウンドとしており、本実施の形態における大当たり遊技状態では、１５ラウンドを上限として繰り返すことができるようにしている。
【００５７】
そして、各ラウンドにおいて、前記大入賞口３８に入賞した遊技球数（入賞数）に応じた賞球が払い出される。この賞球の払い出しは、大入賞口３８への入賞を余剰入賞検知手段の一例である球検知センサ４５（図４参照）で検出することにより行われ、入賞１個あたり所定個数（本実施の形態では１０個）の賞球を払出装置５９（図４参照）により払い出すようにしている。
【００５８】
また、余剰入賞手段を構成する球検知センサ４５により検出された入賞個数は、同じく余剰入賞検知手段を構成するカウンター６３（図４参照）により累積的にカウントされている。このカウンター６３が所定の入賞球数である１０個をカウントすると前記シャッタ４０は閉鎖されるのであるが、閉鎖タイミングと遊技球の落下タイミングによっては、遊技球がこの入賞球数（１０個）を超えて大入賞口３８へ入賞する場合がある。この場合、これを余剰入賞として、カウンター６３によりカウントする。すなわち、パチンコ遊技機１０では、１０個を超えて大入賞口３８へ入球した遊技球の余剰入賞を制御部６１のメモリなどに記憶するのである。
【００５９】
なお、図３中、２０２はシャッタ軸、２０３は通常領域である通常入球口、２０７はシャッタ４０の裏面に形成した遊技球ガイドである。
【００６０】
パチンコ遊技機１０の制御回路を示すブロック図（図４）に示すように、制御部６１は、中央処理回路（以下、ＣＰＵと称する）６６と、インターフェイス回路群６２，７２と、ＲＯＭ６８、ＲＡＭ７０と、カウンター６３と、これらに接続し、ＣＰＵ６６にデータ信号又はアドレス信号を入出力する入出力バス６４とを備える。
【００６１】
インターフェイス回路群６２には、発射ハンドル２６と、前記一時停止ボタン２６ａと、タッチセンサ２９を接続している。
【００６２】
また、インターフェイス回路群６２には、前記各入賞口に設けた第１〜第３の球検知センサ４２，４３，４５を接続しており、第１の球検知センサ４２は、遊技球が前記始動口４４を通過したときに、第２の球検知センサ４３は、遊技球が、一般入賞口５０，５４ａ，５４ｂ、第２の一般入賞口５６ａ,５６ｂ,５６ｃ,５６ｄ、及び排出口５３を通過したときに、第３の球検知センサ４５は、遊技球が、大入賞口３８を通過したときに検出信号をインターフェイス回路群６２にそれぞれ供給する。
【００６３】
さらに、インターフェイス回路群６２には、球通過検出器５５（左側球通過検出器５５ａ，右側球通過検出器５５ｂ）を接続しており、同球通過検出器５５は遊技球が通過したことを検出したときに検出信号をインターフェイス回路群６２に供給する。
【００６４】
ＲＯＭ６８は、パチンコ遊技機１０の遊技全体の流れを制御する遊技プログラムを含む制御プログラムや、表示部に表示させる個々の識別情報、それらの組合せ及び画像データ、保留球数などのデータを記憶している。
【００６５】
（パチンコ遊技機１０の制御）
以上のように構成されたパチンコ遊技機１０の制御方法などについて説明する。
【００６６】
本実施の形態における遊技プログラムは、遊技球が各入賞口などに入球したのを検知するための遊技球検出機能と、余剰入賞検知手段からの余剰入賞信号を取得することにより入球数当りの賞球数を増加させて規定期間内に可変入賞手段に入球した遊技球に対する賞球を賞球払出手段に払い出す払出数制御機能と、遊技球が始動口に入球するのを受けて所定の抽選確率で抽選処理を行う内部抽選実行処理機能と、この内部抽選実行処理ルーチンの抽選結果に基づいて複数の識別情報を変動表示させる可変表示ゲームを表示装置３２上に実行させる可変表示ゲーム処理機能とを有している。
【００６７】
かかるプログラムを実行することにより、遊技球が始動口４４に入球したことを受けて当選かはずれかを内部抽選し、抽選結果に基づいて前記識別情報群が表示装置３２上で変動表示及び停止表示され、抽選結果が当選の場合、停止表示されたときの各識別情報の組合せが特定組合せとなると大当たり遊技状態に移行させる可変表示ゲームを楽しむことができる。さらに、余剰入賞検知手段からの余剰入賞信号を取得することにより入球１個当りに払い出される賞球数を増加させて規定期間内に可変入賞手段に入球した遊技球に対する賞球を賞球払出手段に払い出すことができ、これによって遊技者に対する入賞への遊技意欲を高めることができるとともに、遊技機を管理するホール側の出球管理を容易にすることも可能にしている。
【００６８】
なお、前記大当たり遊技状態においては、前記大当たり入賞装置Ｍの大入賞口３８への入賞を前記第３の球検知センサ４５からの出力により検出する。
【００６９】
この検出結果をカウンター６３がカウントして入賞数として累積し、前記第３の球検知センサ４５が１０球を超えて入賞数を検出すると、この１０球を超えた数を余剰入賞として前記カウンター６３でカウントすることもできる。
【００７０】
そして、ＣＰＵ６６はこの球検知センサ４５からの出力信号を契機として、遊技者に対する所定のサービスや、マイクやビデオモニタなどを用いた演出動作を行うようにしている。例えば、大当たり遊技状態が終了したタイミングで払出装置５９に、余剰入賞の累計数に応じた賞球を払い出すようにしてもよい。
【００７１】
このようにして、遊技者は所定の湯茶や音楽演出などのサービスを享受したり、一挙に払い出される賞球を目の当たりにしたりすることにより余剰入賞のメリットを直接的に実感することができるとともに、余剰入賞させた自分の遊技技量に対しても満足感を覚え、遊技への意欲がさらに高められる。
【００７２】
すなわち、パチンコ遊技機１０では、可変入賞手段の開放時にできるだけ多くの遊技球を集中させて入球させるという新たな技術介入性が生じ、特に、大当たり遊技状態では単に遊技球を発射させるだけの機械任せになりがちな遊技に新たな興趣が付加されて、遊技の面白さを向上させることができる。
【００７３】
また、ＲＯＭ６８は、表示装置３２において可変表示ゲームが実行される際に、変動表示や停止表示される識別情報の画像データ、演出画面として表示される画面画像としてのキャラクタを示すキャラクタ画像データ、表示装置３２の背景を構成する背景画像データ、及び動画映像画像データ、並びに遊技に用いる音データ、前記制御プログラムを実行するための初期データや、前記装飾ランプ３６の点滅動作パターンと、これらを制御するプログラム等を記憶している。
【００７４】
さらに、ＲＯＭ６８は、通常大当たりと確変大当たりとを発生させる抽選を行うために必要な確率テーブルや当該確率テーブルを用いて抽選を行うためのプログラムなどを記憶している。ここで、通常大当たりとは、遊技者に有利な特別遊技状態である大当たり遊技状態が終了すると、直ちに通常遊技に戻る大当たりであり、確変大当たりとは、前記大当たり遊技状態へ移行した後、引き続きこの大当たり遊技状態へ高確率で再度移行可能な大当たりをいう。
【００７５】
一方、前記ＲＡＭ７０は、上述した各プログラムで使用するフラグや変数の値等を記憶している。すなわち、ＣＰＵ６６による演算結果や遊技の履歴を示す累積リーチデータ、累積変動数、可変表示ゲーム実行中に前記カウンター６３によりカウントされた余剰入賞数などを記憶している。
【００７６】
そして、制御部６１内のＣＰＵ６６は、前記ＲＯＭ６８から所定のプログラムを呼び出して実行することにより演算処理を行い、この演算処理の結果に基づいて各種の制御を行う。
【００７７】
パチンコ遊技機１０の制御部６１によって遊技球が前記始動口４４に入球したことを受けて当選かはずれかを所定の抽選確率で抽選するとともに、抽選結果に応じて識別情報群を変動表示及び停止表示させる。
【００７８】
さらに、抽選結果が当選の場合は、前述した特定組合わせでの停止表示態様となるように制御する。大当たり遊技状態においては各ラウンドに発生した大当たり入賞装置Ｍの大入賞口３８への余剰入賞の累計数に応じた賞球を、大当たり遊技状態が終了した後、一挙に払い出すように制御している。このようにＣＰＵ６６は、可変表示ゲームに関する情報を読み出して、表示装置３２における表示態様及び払出装置５９を制御するとともに、大当たり入賞装置Ｍの動作を制御している。
【００７９】
また、インターフェイス回路群７２には、表示装置３２、副表示装置５２、スピーカ４６、発射ハンドル２６用のソレノイド２８、保留ランプ３４及び装飾ランプ３６、さらには可動片５８ａ,５８ｂやシャッタ４０を駆動するソレノイド４８，５７，２０５、及び払出装置５９を接続しており、ＣＰＵ６６における演算処理の結果に応じて上述した各装置類それぞれを制御すべく駆動信号や駆動電力を供給する。
【００８０】
なお、表示装置３２は、変動図柄表示部と演出画面表示部とからなり、ＣＰＵ６６の制御によりこれらの２つの表示部に表示される画面の双方を合成して表示する。
【００８１】
また、保留ランプ３４は、可変表示ゲーム実行中に始動口４４に入球した上限数以上の保留球数を表示するもので、識別情報群を変動表示させるに有効な回数が示される。また、払出装置５９は、賞球払出手段を構成して遊技球の入賞数に応じて上皿２０又は下皿２２に予め定められた払出数制御ルーチンに基づいて所定数の遊技球を払い出すものである。なお、これらの賞球を所定時期に一括して払い出すように機能させることもできる。
【００８２】
ＣＰＵ６６などからなる演算処理装置により制御部６１が構成される。この制御部６１によって、パチンコ遊技機１０の表示手段である表示装置３２、大入賞口などを備えた可変入賞手段Ｍ、内部抽選によりその遊技状態を設定するための内部抽選実行処理手段、大入賞口３８に入賞した遊技球をカウントするカウント手段などが制御される。
【００８３】
また、この制御部６１と第３の球検知センサ４５とにより余剰入賞検知機能が、さらに制御部６１と払出装置５９とにより一括払出機能がそれぞれ可能となるように構成されている。
【００８４】
表示手段は、可変表示ゲームなどを表示させる液晶表示部が含まれ、遊技機の制御部を介してこの液晶表示部に識別情報が表示され、始動口への入賞を契機として複数の識別情報を表示手段に可変表示される。
【００８５】
可変入賞手段は、遊技盤上に設けられた特別入賞口や大入賞口などを有しており、遊技球が特別入賞口や始動口に入賞したことを受けて行われる内部抽選の結果が当選となると、上限値数の遊技球が入賞するまで開放状態を維持し、上限値数の入賞を検知すると閉状態に変化する。
【００８６】
また、可変入賞手段に対して上限値数を超えて遊技球が入球されたのを検知してその検出信号を出力する球検知センサや球通過検出器などの余剰入賞検知手段や、可変表示ゲームの実行履歴を検知するセンサなどが設けられる。
【００８７】
なお、ＣＰＵ６６などからなる演算処理装置を１つとしているが、必ずしも１つである必要はなく、メインの演算処理装置としての主制御部と、画像表示を司るサブの演算処理装置としての副制御部を含む構成とすることもできる。また、上記したＲＯＭ６８やＲＡＭ７０も、複数個備える構成であっても構わない。
【００８８】
（パチンコ遊技機１０の動作）
以上のように構成されたパチンコ遊技機１０の動作を以下に説明する。なお、以下の説明においてパチンコ遊技機１０は起動しており、上述したＣＰＵ６６において用いられる変数は所定の値に初期化され、定常動作しているものとする。
【００８９】
まず、パチンコ遊技機１０は、パチンコ遊技を制御するパチンコ遊技プログラムを実行する。かかるパチンコ遊技プログラムから所定のタイミングで図５に示す遊技球検出ルーチンが呼び出され、図６に示す内部抽選実行処理ルーチンや図７に示す可変表示ゲーム処理ルーチン、図８に示す大当たり実行処理ルーチン、図９に示す払出数制御ルーチンなどが実行される。
【００９０】
すなわち、図９の払出数制御ルーチンは、内部抽選実行処理（図６）→可変表示ゲーム処理（図７）→大当たり実行処理（図８）の各サブプログラムを介して順次呼び出される。これによって、余剰入賞に対して可変入賞手段への入球数当りに払い出される賞球数をアップさせることにより、遊技者に対する入賞への遊技意欲を高めることができる。
【００９１】
また、余剰入賞数などに応じて、遊技者に対して所定のサービスや演出を実行したり、大当たり遊技状態の実行中に発生した余剰入賞に対する賞球を大当たり遊技状態終了後に一括して払い出したりできるようになっている。
【００９２】
図５に示すように、パチンコ遊技プログラムのメインルーチンとなる遊技球検出ルーチンでは、最初に入賞口（一般入賞口５０，５４ａ，５４ｂ並びに第２の一般入賞口５６ａ〜５６ｄに遊技球が入ったか否かを検出する（ステップＳ１１）。
【００９３】
ステップＳ１１において、入賞口に遊技球が入ったと判別したときには、入賞口の種類に応じて予め定められた数の遊技球を払い出す処理を実行する（ステップＳ１２）。
【００９４】
次に、始動口４４に遊技球が入ったか否かを判断する（ステップＳ１３）。このステップＳ１３において、始動口４４に遊技球が入ったと判別したときには内部抽選実行処理（ステップＳ１４）を実行し、次いで可変表示ゲームを実行する。ステップＳ１４における内部抽選実行処理では、「通常大当たり」、「確変大当たり」及び「はずれ」のいずれか１つの結果を発生させる処理を行うものである。
【００９５】
さらに、球通過検出器５５ａ,５５ｂを遊技球が通過したか否かを判断する（ステップＳ１６）。球通過検出器５５ａ,５５ｂを遊技球が通過したと判別したときには、普通図柄を変動表示させる処理を実行する（ステップＳ１７）。
【００９６】
次に、上述したステップＳ１４において呼び出されて実行される内部抽選実行処理を行うサブルーチンを図６に示す。
【００９７】
なお、以下の説明において、変動図柄とは、表示装置３２に表示される識別情報のうちで変動表示状態にある図柄を指し、停止図柄とは、この変動表示された変動図柄が最終的に停止したときに表示される図柄を指すものとする。
【００９８】
図６に示される抽選実行処理が開始されると、まず、ＣＰＵ６６の演算処理による内部抽選処理を実行する（ステップＳ１００）。すなわち、ＣＰＵ６６は、前記ＲＯＭ６８に記憶された内部抽選に用いられる確率テーブルをＲＡＭ７０に設定するとともに、乱数のサンプリングを行う。
【００９９】
なお、確率テーブルをＲＡＭ７０に設定する処理は、ステップＳ１００を実行するたびに行う必要はなく、常にＲＡＭ７０に設定しておいてもよい。また、ＲＯＭ６８に内部抽選に用いられる確率テーブルを複数記憶させておき、必要に応じて異なる確率テーブルをＲＡＭ７０に設定することとして、通常大当たりを発生させる確率、確変（特別）大当たりを発生させる確率、及び、はずれを発生させる確率を変更させることもできる。
【０１００】
次に、「通常大当たり」、「確変大当たり」及び「はずれ」のうち、どの結果が得られたかについて判断する（ステップＳ１０１）。
【０１０１】
ステップＳ１０１において、はずれの抽選結果が得られたと判断した場合、ＣＰＵ６６は、はずれに対応する抽選データをＲＡＭ７０に記憶する（ステップＳ１０２）。このとき、はずれが発生したことになる。なお、この抽選データは可変表示ゲームを実行する際に用いられるデータであり、ＣＰＵ６６は、当該抽選データに基づき、可変表示ゲーム処理ルーチンにおいて、変動図柄を所定の組合せで停止表示させる。
【０１０２】
ステップＳ１０１において、通常大当たりの結果が得られたと判断した場合、ＣＰＵ６６は、通常大当たりに対応する抽選データなどをＲＡＭ７０に記憶し（ステップＳ１０３）、さらに、通常大当たり情報を記憶する（ステップＳ１０４）。このとき、通常大当たりが発生したことになる。
【０１０３】
また、ステップＳ１０１において、確変大当たりの結果が得られたと判断した場合、ＣＰＵ６６は、確変大当たりに対応する抽選データなどをＲＡＭ７０に記憶し（ステップＳ１０７）、さらに、確変大当たり情報を記憶する（ステップＳ１０８）。このとき、確変大当たりが発生したことになる。
【０１０４】
次いで、大当たり遊技状態が現在発生しているか否かを判断し（ステップＳ１１０）、大当たり遊技状態が発生していると判断した場合、本サブルーチンを終了する。
【０１０５】
一方、ステップＳ１１０において、大当たり遊技状態が発生していないと判断した場合、進行（表示）中の可変表示ゲームが存在するか否か判断する（ステップＳ１１１）。進行（表示）中の可変表示ゲームとは、現在、表示装置３２に表示され、遊技者が見ることが可能な状態にあり、変動図柄が停止表示される前の可変表示ゲームである。すなわち、進行（表示）中の可変表示ゲームが存在するということは、既に１つの遊技球が始動口４４に入り、後述する可変表示ゲーム処理ルーチンが実行されているということである。
【０１０６】
ステップＳ１１１において、進行（表示）中の可変表示ゲームが存在しないと判断した場合、可変表示ゲームが実行される（ステップＳ１１２）。
【０１０７】
一方、進行（表示）の可変表示ゲームが存在すると判断した場合、本サブルーチンを終了する。
【０１０８】
つぎに、図７に示す可変表示ゲーム処理ルーチンについて説明する。このサブルーチンが呼び出されることにより、表示装置３２において表示されていた固定画面を通常画面へと切り替え、可変表示ゲームが開始される。
【０１０９】
なお、固定画面とは、表示装置３２において実行される可変表示ゲームは実行されておらず、パチンコ遊技機１０においてパチンコ遊技のみが進行している際に表示装置３２に表示される画面をいう。
【０１１０】
また、通常画面とは、表示装置３２において可変表示ゲームが開始されて表示装置３２に表示される図柄（識別情報）が変動表示されてから、可変表示ゲームがリーチとなったり大当たりとなったりしたときの状態に至るまでのあいだに、表示装置３２に表示される演出画面をいう。
【０１１１】
ここで、可変表示ゲームは、複数の識別情報の変動表示が開始されてから停止表示されるまでを１回とするゲームである。本実施の形態に係るパチンコ遊技機１０において予め設定されている識別情報は、「０」、「２」、…、「９」からなる１０個の算用数字からなる図柄を１つの組として、これらの１０個の図柄を表示装置３２に順次表示し、その図柄が移動するように表示しつつ、図柄自身が変化するように変動表示する。
【０１１２】
例えば、表示装置３２において、図柄の「１」を表示装置３２の上から下へスクロールするように表示した後、図柄の「２」を上から下へスクロールするように表示し、続いて図柄の「３」を同様に上から下へスクロールするように表示するのである。そして、図柄の「０」から図柄の「９」までをこのような態様で表示した後、再び図柄の「０」をスクロールするように表示し、同様の表示を順次繰り返すのである。表示装置３２においてこのように図柄を表示することにより、「０」から「１」へ、「１」から「２」へと、また「２」から「３」へと、図柄がスクロールされながら順次変化して「９」まで表示され、次に再び「０」が表示されることとなるのである。なお、上述した図柄の組（識別情報群）は、スロットマシンにおいて用いられる１本のリールに表示された図柄の組に対応する概念である。
【０１１３】
さらに、可変表示ゲームが表示装置３２において実行されるときには、複数の組からなる識別情報群の各々に属する図柄を表示する。例えば、３つの識別情報群に属する図柄の各々を横方向に配列させて表示することとした場合には、１つの識別情報群に属する図柄は表示装置３２の左側に表示され、他の識別情報群に属する図柄は表示装置３２の中央に表示され、残りの識別情報群に属する図柄は表示装置３２の右側に表示される。
【０１１４】
このように識別情報である図柄を表示することにより、表示部である表示装置３２には複数の識別情報が表示されることとなる。なお、可変表示ゲームが実行される際における組の数は、３つに限られることはなく、３以外の複数個の識別情報群（組）に属する図柄を表示装置３２に表示することとしてもよい。
【０１１５】
さらに、１つの識別情報群に属する図柄について、複数個の図柄を表示することとしてもよく、例えば、１つの識別情報群に属する３つの図柄を同時に変動表示するように表示することとし、３つの識別情報群について表示することとした場合には、表示装置３２には、合計９個の図柄が変動表示されることとなる。
【０１１６】
そして、複数の識別情報群に属する図柄を変動表示した後、変動表示されていた全ての図柄を所定のタイミングで停止表示した際に、これらの図柄の組合せが所定の組合せに合致して停止表示されたときには、遊技者から見れば可変表示ゲームが「大当たり」に当選したことになり、大当たり遊技状態が発生し、遊技者に対して有利な状態の提供が行われる。
【０１１７】
前述した内部抽選処理によって、ＣＰＵ６６の演算処理による内部抽選処理を実行し、上述したステップＳ１０２、Ｓ１０３またはＳ１０７においてＲＡＭ７０に記憶した抽選データに基づいて、変動表示されている図柄を全て停止表示させたときの図柄の組合せを予め決定し、可変表示ゲームが開始されると、図７に示すように、抽選データを更新（減少）させる（ステップＳ２０１）。すなわち、ＣＰＵ６６は、ＲＡＭ７０に記憶された抽選データの中から、今回の可変表示ゲーム処理に使用する抽選データを可変表示ゲーム処理領域に呼び出し、これまで抽選データが記憶されていた領域からは当該抽選データを消去する処理を行う。
【０１１８】
次に、選択された背景画像の画面構成情報がＲＡＭ７０に生成される（ステップＳ２０２）。すなわち、ＣＰＵ６６によって、内部抽選処理の結果や、可変表示ゲームの進行状況等に応じて、背景画像を選択するプログラムがＲＯＭ６８から呼び出され実行される。上記背景画像としては、特に限定されるものではなく、可変表示ゲームの進行状況や、上記内部抽選処理の結果に基づいて、ＣＰＵ６６によって、適宜選択される。
【０１１９】
次に、選択されたキャラクタ画像の画面構成情報がＲＡＭ７０に生成される（ステップＳ２０３）。すなわち、上記プログラムの実行結果に基づいて、ＣＰＵ６６により選択されたキャラクタ画像の画面構成情報が、ＲＡＭ７０に生成される。このとき、例えば、１／６０秒や、１／３０秒等毎の一定間隔の周期（フレームスパン）で、キャラクタ画像の先頭位置が所定の移動量分ずれるように制御することにより、キャラクタ画像に動きを与えて表示させることができる。
【０１２０】
次いで、識別情報である変動図柄の画面構成情報が、上記プログラムの実行結果に基づいて、ＣＰＵ６６によって、ＲＡＭ７０に生成される（ステップＳ２０４）。
【０１２１】
上記変動図柄を構成する各図柄となる画像の画面構成情報は、上述したプログラムに基づいて、ＣＰＵ６６により生成される。また、各変動図柄となる画像が、所定の順序で順次生成されるように制御して、変動図柄の変動表示を行うことができる。さらに、フレームスパンや、画面構成情報の読み出しの先頭位置等を調整することによって、変動図柄の変動速度を制御することができるため、背景画像において、展開されている物語等に応じて、変動図柄の変動を滑らかにさせ、背景画像と、変動図柄との融合を図ることも可能である。
【０１２２】
次に、１つの変動図柄を停止表示させるタイミングであるか否かを判断する（ステップＳ２０５）。すなわち、複数、例えば、三つの組（識別情報群）のうち、１つの組に属する図柄を停止表示させるタイミングであるか否かを判断する。
【０１２３】
変動図柄を停止表示させるタイミングであると判断したときには、ＣＰＵ６６によって、１つの変動図柄を停止表示させる態様で変動図柄を表す変動図柄画像が選択され、該変動図柄画像の画面構成情報がＲＡＭ７０に生成される（ステップＳ２０６）。
【０１２４】
次いで、ステップＳ２０２〜２０７において、ＲＡＭ７０に生成された画面構成情報に基づいて、ＣＰＵ６６によって、ＲＯＭ６８から、上記画面構成情報に対応する各画像データが読み出される。読み出された各画像データは、その後、上記画面構成情報内の表示される優先順位や、位置等に関する情報によって、表示装置３２に表示される画像データとされた後、表示装置３２に送信されて表示される（ステップＳ２０７）。上述したステップＳ２０２〜Ｓ２０７の処理は、後述するステップＳ２０８において複数の識別情報群に属する図柄の全てが停止表示されたと判別されるまで繰り返し実行される。このように処理を繰り返し実行することにより、所定の態様でスクロールするように図柄を変動表示することができ、また、キャラクタ画像も所定の動作をするように表示できる。
【０１２５】
ステップＳ２０７の処理を実行した後、複数の組に属する図柄の全てが停止表示されたか否かを判断する（ステップＳ２０８）。
【０１２６】
複数の識別情報群に属する図柄の全てが停止表示されていないと判断したときには、処理をステップＳ２０２に戻す。一方、複数の識別情報群に属する図柄の全てが停止表示されたと判断したときには、ＲＡＭ７０に記憶された通常大当たり情報若しくは確変大当たり情報が存在するか否かを判断する（ステップＳ２０９）。
【０１２７】
大当たり情報が存在すると判断した場合、大当たり実行処理や外部出力処理などを行い（ステップＳ２１０）、大当たり遊技状態や所定のサービスを供与して、遊技者に対して有利な状態の提供を行う。
【０１２８】
一方、ＲＡＭ７０に記憶された大当たり情報が存在しないと判断した場合、ＲＡＭ７０に記憶された抽選データが存在するか否かを判断する（ステップＳ２１１）。ＲＡＭ７０に記憶された抽選データが存在しないと判断した場合、待機中の可変表示ゲームは存在しないことになるので、本サブルーチンを終了する。
【０１２９】
一方、ステップＳ２１１において、ＲＡＭ７０に記憶された抽選データが存在すると判断した場合、待機中の可変表示ゲームが存在することになるので、ＲＡＭ７０に記憶された抽選データのうち、最も古い抽選データを読み出し（ステップＳ２１２）、処理をステップＳ２０１に戻す。その後、ＣＰＵ６６は、読み出した抽選データに基づいて、ステップＳ２０１〜Ｓ２０９の処理を繰り返し実行することになる。
【０１３０】
前記可変表示ゲーム処理（ステップＳ２１０）において実行される大当たり実行処理ルーチンについて図８を用いて説明する。なお、以下の説明では、大当たり遊技状態において断続的に１５回の大当たり遊技が提供されることとする。また、当該大当たり遊技は、大入賞口３８が開放状態となってから、当該大入賞口３８に１０球の遊技球が入るまで、又は、所定の時間（２９秒）が経過するまでを１回とする遊技である。さらに、１回の大当たり遊技を、前述したように１ラウンドとする。また、「通常の大当たり遊技状態となる通常大当たり」と「確率変動状態での大当たり遊技状態となる確変大当たり」とでは異なる点がほとんどないため、区別しないで説明する。
【０１３１】
この大当り実行処理ルーチンにおいては、まず、大当たり遊技のラウンド回数であるｎをｎ＝１に設定する（ステップＳ３０１）。
【０１３２】
すなわち、ＣＰＵ６６は、ＲＡＭ７０に設けられた大当たり遊技のラウンド回数を記憶するテーブル（ラウンド数記憶テーブル）にｎ＝１であることを記憶させる。
【０１３３】
次いで、大入賞口３８が開放状態となるタイミングであるか否かを判断する（ステップＳ３０２）。
【０１３４】
上記大入賞口３８が開放状態となるタイミングであると判断したときは、シャッタ４０を開方向へ駆動させて大入賞口３８を開放する（ステップＳ３０３）。
【０１３５】
すなわち、ＣＰＵ６６は、インターフェイス回路群７２を介して、ソレノイド４８に駆動信号を供給することによりシャッタ４０を前方へ傾動させて大入賞口３８を開放状態とする。これにより、遊技者が大入賞口３８へ遊技球を入れることが可能となる。
【０１３６】
一方、上記大入賞口３８が開放状態となるタイミングでないと判断したときは、処理をステップＳ３０２に戻す。
【０１３７】
次に、大入賞口３８に遊技球が入ったか否かを判断する（ステップＳ３０４）。遊技球が大入賞口３８に入ったか否かは、本実施の形態では大入賞口３８に設けられた前記第３の球検知センサ４５により判断される。
【０１３８】
そして、大入賞口３８に設けられた第３の球検知センサ４５により遊技球が検出された際には、検出信号をインターフェイス回路群６２に供給する。この検出信号を受け取ったＣＰＵ６６は、カウンター６３を駆動させて入賞数をカウントするとともに、カウント結果をＲＡＭ７０の所定テーブル（大入賞口遊技球記憶テーブル）に遊技球の入賞数として記憶させ（ステップＳ３０５）、同時に前記第３の球検知センサ４５からの検出信号ごとに払出装置５９に制御信号を送信して払出装置５９を駆動させ、予め定められた数（１０個）の遊技球を払い出す処理を実行する（ステップＳ３０６）。
【０１３９】
なお、このステップＳ１０６における遊技球払出処理はこれを省略するか、または、後述するステップＳ３１５の払出数制御の処理に連携させて遊技球の払出処理を行うようにすることもできる。
【０１４０】
ステップＳ３０４において、大入賞口３８に遊技球が入っていないと判断した場合、又は、ステップＳ３０６において遊技球を払い出す処理を実行した場合には、次に、大入賞口３８に上限値数（１０個）の遊技球が入ったか否かを判断する（ステップＳ３０７）。すなわち、ＣＰＵ６６は、大入賞口遊技球記憶テーブルに記憶された遊技球の数とＲＡＭ７０の別の領域に記憶された上限入賞数（１０球）とを比較し、大入賞口３８に入った遊技球が上限入賞数（１０球）となっているか否かを判断する。
【０１４１】
大入賞口３８に上限値数の遊技球が入っていないと判断したときは、大入賞口３８が開放状態となってから所定の時間（２９秒）が経過したか否かを判断する（ステップＳ３１０）。すなわち、ＣＰＵ６６は、ステップＳ３０２から開始した経過時間のカウントが、所定の時間に達したか否かについて判断する。
【０１４２】
大入賞口３８が開放状態となってから所定の時間が経過していないと判断したときは、処理をステップＳ３０４に戻す。
【０１４３】
一方、ステップＳ３０７において、大入賞口３８に上限値数の遊技球が入ったと判断したときは、ＣＰＵ６６は大入賞口３８のシャッタ４０を閉鎖する制御信号をソレノイド４８に出力するが、この出力と実際にシャッタ４０が閉方向へ傾動する間に遊技球が大入賞口３８に飛び込むことがある。これを第３の球検知センサ４５は余剰入賞として検出する。この検出があるかどうかを判断し（ステップＳ３０８）、余剰入賞があると判断した場合は、その検出結果を余剰入賞数としてカウンター６３によりカウントするとともに、ＲＡＭ７０に記憶する（ステップＳ３０９）。
【０１４４】
ステップＳ３０９の処理終了後、ステップＳ３０８で余剰入賞がないと判断した場合、及び前記ステップＳ３１０において所定の時間が経過したと判断したときにシャッタ４０を駆動して大入賞口３８を閉鎖する（ステップＳ３１１）。
【０１４５】
このように大入賞口３８の開放時間は、大入賞口３８に入った遊技球の数により判断され、大入賞口３８に上限値数の遊技球が入れば大入賞口３８は閉鎖される。なお、大入賞口３８に入った遊技球の数が上限値数に達していなくても、所定の時間が経過すれば大入賞口３８は閉鎖されるようにしてもよい。
【０１４６】
次に、大当たり遊技の回数であるｎに１を加算して、ｎ＝ｎ＋１とするように設定する（ステップＳ３１２）。すなわち、ＣＰＵ６６は、ＲＡＭ７０に設けられたラウンド数記憶テーブルにｎ＝ｎ＋１となるようにラウンド数を記憶させる。
【０１４７】
そして、ラウンド数ｎが１４以下であるか否かを判断する（ステップＳ３１３）。すなわち、ＣＰＵ６６は、まず、ラウンド数記憶テーブルに記憶された大当たり遊技の回数を読み出し、この回数とＲＡＭ７０の別の領域に記憶されたｎ＝１４のデータとを比較し、大当たり遊技の回数ｎがｎ≦１４であるか否かを判断する。大当たり遊技の回数ｎがｎ≦１４であると判断したときには、処理をステップＳ３０２に戻す。従って、本サブルーチンでは、ｎが１４を超えるまで、繰り返し大当たり遊技が行われることとなる。
【０１４８】
そして、大当たり遊技の回数であるｎが１４を超えるとき、すなわちラウンド数の最大値である１５回に達した場合は、大当たり情報を更新（減少）させる（ステップＳ３１４）。すなわち、通常大当たりに基づく大当たり遊技状態が発生している場合（大当たり実行処理ルーチンが通常大当たりに基づいて実行されている場合）、ＲＡＭ７０に記憶された通常大当たり情報を削除する。一方、特別大当たりに基づく大当たり遊技状態が発生している場合（大当たり実行処理ルーチンが特別大当たりに基づいて実行されている場合）、ＲＡＭ７０に記憶された特別大当たり情報を１つ削除する。
【０１４９】
次いで、ステップＳ３１５においては、余剰入賞検知手段により検知した余剰入賞に対して第１の所定賞球数よりも多い第２の所定賞球数を払い出すように賞球払出手段を制御する払出数制御ルーチンが呼び出されて実行される。
【０１５０】
払出数制御ルーチンは図９に示すように、最初のステップＳ４００において前記ステップＳ３０９で記憶された余剰入賞数を判定して余剰入賞の有無をチェックする。
【０１５１】
ここでは余剰入賞がある場合、すなわちその時点で入球した遊技球の入球数Ｎが上限数Ｎ0を超えている場合（Ｎ＞Ｎ0）にはステップＳ４０１に、Ｎ≦Ｎ0の場合にはステップＳ４０２に移行する。
【０１５２】
余剰入賞が判定されて実行されるステップＳ４０１では、入球した遊技球１個に対して払い出される賞球数Ｍを第１の所定数であるＭ0から第２の所定数であるＭ0＋ｋに増加させることにより、設定または更新して、ステップＳ４０３に進む。なお、第１の所定数に加算される加算数ｋは例えば１〜２０などのように所定範囲の自然数であり、遊技機のゲーム履歴や、時間帯などの環境条件に応じて所定のプログラムで変動できるように設定することもでき、これによって、パチンコ遊技をさらに多様化、複雑化させてゲームの興味性をさらに高めることも可能である。
【０１５３】
一方、余剰入賞が判定されていないときに実行されるステップＳ４０２では、賞球数Ｍを第１の所定数であるＭ0に設定または更新して、次のステップＳ４０３に進む。
【０１５４】
最後のステップＳ４０３では、こうして設定または更新された賞球数Ｍに基づいて、この時点で可変入賞手段へ入球した遊技球に対応する賞球を算出して、算出された賞球を賞球払出手段に払い出す制御動作を実行して、本サブルーチンを終了する。
【０１５５】
以上のように、可変入賞手段に遊技球が余剰入賞されるのを契機として賞球払出手段から払い出される賞球数を増加させる払出数制御ルーチンを備えるので、余剰入賞された遊技球やそのラウンド中に入球した遊技球の各１個に対して払い出される払出賞球数をアップさせて遊技者に対する入賞への遊技意欲を高めることができる。さらに、余剰入賞を契機として払出賞球数を第１の賞球数からこれより多い第２の賞球数に切り換えるだけなので、その制御操作が単純であり遊技機を管理するホール側の出球管理を容易にできる。
【０１５６】
なお、複数の識別情報を可変表示可能な表示手段に連動して動作する可変入賞手段を設けることができ、余剰入賞を表示手段に表示される可変表示ゲームに連携させて、その遊技性をさらに高めることができる。
【０１５７】
上述してきた大当たり実行処理ルーチンが実行されている間、表示装置３２では、大当たり遊技状態が発生していることを遊技者に認識させるとともに、遊技を盛り上げるための演出画像が表示される。
【０１５８】
なお、本サブルーチンでは、ラウンド回数の上限を１５回としてｎの最大数を１４としたが、ｎは自然数であれば特に限定されず、ラウンド回数の上限に応じて適宜設定してよい。
【０１５９】
上述の大当たり実行処理がなされるとき、表示装置３２上では、大当たり遊技状態に応じた演出画像が表示される。すなわち、大当たり遊技状態特有の演出表示がなされ、各ラウンド中、所定のキャラクタなどを動画表示してラウンド演出表示を実行し、特別遊技状態であることを華やかに演出するとともに、このラウンド演出表示においては、現在実行中のラウンドが何回目であるか、また現在実行中のラウンドにおける大入賞口３８への入球数が何個であるかなどの情報を表示するようにしている。
【０１６０】
本実施の形態では、演出画像として例えば魚釣りの情景などを示す画像を用いており、この表示画面中に、大当たりを示す識別情報の組合せが「７７７」と、第５ラウンドであることを示すラウンド表示としての「Ｒ５」と、この第５ラウンド中に大入賞口３８の特別領域に少なくとも遊技球が１個入賞し、第６ラウンドが保証されていることを示す「Ｖ」マークとが表示されている。また、ラウンド中に大入賞口３８に入賞した遊技球の数が、魚釣りの演出図柄の一つである籠中における釣った「魚」として表されている。当然のことながら、入賞数は単に数字で表示してもよい。
【０１６１】
さらに、各ラウンドで発生した前記余剰入賞の数を、ラウンド演出表示中に表示するようにしている。ここでは、新たに特別な籠などを模した画像が表示され、その中に例えば「人魚」が入った状態で表示される。この「人魚」が余剰入賞であり、「人魚」の数によって余剰入賞数を示すことで、遊技者にとって視覚的に分かりやすく、かつ遊技が楽しくなる。勿論、この場合も余剰入賞数を数字表示して構わない。
【０１６２】
ここで、パチンコ遊技機１０における実際の遊技状況を想定して、大当たり遊技状態中に大入賞口３８に余剰入賞が発生し、大当たり遊技状態終了後、余剰入賞の累計数に応じて賞球が一括して払い出されるまでについて説明する。
【０１６３】
大当たり遊技状態に移行すると、表示装置３２上には大当たり情報に基づいて、例えば魚釣りの情景などを示す演出画像が表示される。画面上には現在のラウンド数と、大当たりを示す識別情報の組合せとが表示されている。そして、大入賞口３８へ入賞する度に、表示装置３２上の魚釣りなどを模した遊技画像が表示される。また、入賞した遊技球の中で、少なくとも１個が大入賞口３８中の特別領域である特定入球口２０４（図３参照）に入球すると、次のラウンドの遊技が保証されることを示すＶマークなどが表示される。
【０１６４】
入賞の上限値数である１０個目が大入賞口３８に入ると、大入賞口３８は閉鎖されるが、閉鎖直前に駆け込み入賞が発生した場合、この駆け込み入賞である余剰入賞は、画面上に新たな画像として表示される。こうして、第１ラウンドから最終ラウンドまでに発生した余剰入賞の累計数は、大当たり遊技終了後に表示装置３２上に表示される。
【０１６５】
この場合、前記払出数制御ルーチンにより、余剰入賞の発生に伴って、可変入賞手段への入球した遊技球の全数もしくは、余剰入賞分に相当する遊技球の数に乗算される賞球数Ｍを第１の所定数からこれより多い第２の所定数に設定してこの遊技球を賞球払出手段から間欠的または連続的に払い出すことができる。
【０１６６】
また、例えば、余剰入賞数１０個に応じた賞球数、例えば１０×１０＝１００個の賞球が所定条件を満たすときに一挙に払い出されるようにしてもよい。こうして、賞球１０個を単位として１０回連続して払い出すものであるが、大当たり遊技終了後に余剰入賞分のみを払い出すことで余剰入賞の累計に応じた賞球数が一括して払い出されるものとみなしてる。
【０１６７】
なお、この払い出しの際には表示装置３２上に余剰入賞の総数が表示され、１０個ずつ払い出される度にその数値が１ずつ減じられるカウントダウン表示するようにしてもよい。
【０１６８】
（払出数制御ルーチンの変容例）
図１０は払出数制御ルーチンの変容例を示すフローチャートである。
【０１６９】
変容例の払出数制御ルーチンは、前記払出数制御ルーチンが内部抽選実行処理→可変表示ゲーム処理→大当たり実行処理の各サブプログラムを経由して呼び出されるのとは異なり、パチンコ遊技プログラムのメインルーチンである図５に示した遊技球検出ルーチンに連係または連続して実行される遊技球検出ルーチンとは独立に実行される。
【０１７０】
この払出数制御ルーチンの最初のステップＳ５００においては、可変入賞手段の可動片などが開放されるための開始条件を所定の時間間隔、例えば０．０１〜０．５秒間隔でチェックしてチェックフラグを設定する。
【０１７１】
次のステップＳ５０１では、このチェックフラグを用いて開始条件が成立するか否かを判定して、成立する場合にステップＳ５０２へ移行し、不成立の場合、すなわち可変入賞手段が閉状態で維持されている場合はリターンされ、このサイクルが前記の時間間隔で繰り返されることになる。
【０１７２】
ステップＳ５０２では、可変入賞手段へ入球する遊技球の入球数Ｎを球検知センサなどの余剰入賞検知手段を介してカウントする。なお、カウント開始時に入球数Ｎのカンターがクリア（Ｎ＝０）される。このカウントは所定のカウント条件、例えば規定の時間条件や入球数Ｎが限界値を超えるような条件が満足されるまで継続して実行されて次のステップＳ５０３に移行される。
【０１７３】
ステップＳ５０３では、入球数Ｎが規定の上限値Ｎ0を超えるか否かの条件を判定して、これを満たす場合にステップＳ５０４へ、不成立の場合にステップＳ５０５にそれぞれ分岐される。
【０１７４】
余剰入賞が判定されて実行されるステップＳ５０４では、入球した遊技球１個に対して払い出される賞球数Ｍを第１の所定数であるＭ0から第２の所定数であるＭ0＋ｋに増加させることにより設定または更新する処理が行なわれて親ルーチンにリターンされる。
【０１７５】
一方、余剰入賞が判定されていないときに実行されるステップＳ５０５では、賞球数Ｍを第１の所定数であるＭ0に設定または更新されてリターンされる。
【０１７６】
以上のような払出数制御ルーチンを実行することによって、余剰入賞の有無に基づいて賞球数Ｍを更新する処理を行うことができる。そして、パチンコ遊技プログラムの各サブルーチンにおいて記憶された賞球数Ｍを参照することにより、可変入賞手段へ入球した遊技球に対応して払い出される賞球数を算出して、算出された所定個数の賞球を賞球払出手段に払い出す制御動作を実行することができる。
【０１７７】
こうして、このルーチンが実行される都度、更新変更される賞球数Ｍを用いて、パチンコ遊技における新たなゲーム性を付加したり、その結果を液晶パネルなどの表示手段に表示させたりすることができる。また、遊技機を管理するホール側の出球管理を容易にできるとともに、余剰入賞の発生を契機として適切なサービスや演出などを行うことも可能にして遊技者の遊技意欲を喚起することができるようにしている。例えば、大入賞口や特別入賞口などを備えた可変入賞手段への余剰入賞に対応して、スピーカなどからその優越性を誇示するような演出用音楽や音声を遊技者の周囲に流すことも可能である。
【０１７８】
本実施の形態のパチンコ遊技機１０は以上のように構成されているので、遊技者は遊技球を可変入賞手段となる大入賞口３８などに余剰入賞させる技術によって賞球数を大幅に増加させてその利得を享受することができる。
【０１７９】
また、余剰入賞を契機として払出賞球数を第１の賞球数から第２の賞球数に切り換えるだけなので、特別なハードウェアなどの設備変更を必要とせずソフトウェアの変更だけでその賞球の払出処理が容易にでき遊技機を管理するホール側の管理などを容易にできる。
【０１８０】
さらに、余剰入賞を契機としてその演出効果などを付加することも可能であり、遊技者は余剰入賞によって得た利益について視覚的に楽しみながら実感することができる。
【図面の簡単な説明】
【０１８１】
【図１】実施の形態１に係るパチンコ遊技機の概観を示す正面図である。
【図２】同パチンコ遊技機の遊技盤面の拡大正面図である。
【図３】同パチンコ遊技機の大当たり入賞装置を示す分解説明図である。
【図４】同パチンコ遊技機の制御回路を示すブロック図である。
【図５】パチンコ遊技機において実行される遊技球検出ルーチンのフローチャートである。
【図６】内部抽選実行処理ルーチンを示すフローチャートである。
【図７】可変表示ゲーム処理ルーチンを示すフローチャートである。
【図８】大当たり実行処理ルーチンを示すフローチャートである。
【図９】払出数制御ルーチンを示すフローチャートである。
【図１０】払出数制御ルーチンの変容例を示すフローチャートである。
【符号の説明】
【０１８２】
Ｍ  大当たり入賞装置（可変入賞手段）
１０  パチンコ遊技機（遊技機）
２０  上皿（賞球払出手段）
２２  下皿（賞球払出手段）
３２  表示装置（表示手段）
３４  保留ランプ
３８  大入賞口
４５  球検知センサ（余剰入賞検知手段）
５９  払出装置（賞球払出手段）
６３  カウンター （余剰入賞検知手段）
【図１】
2005185345.tif 000003
【図２】
2005185345.tif 000004
【図３】
2005185345.tif 000005
【図４】
2005185345.tif 000006
【図５】
2005185345.tif 000007
【図６】
2005185345.tif 000008
【図７】
2005185345.tif 000009
【図８】
2005185345.tif 000010
【図９】
2005185345.tif 000011
【図１０】
2005185345.tif 000012